(57)【要約】【課題】接続端子に電流を流すことによって、ＬＥＤ等の装置が接続されているかを判断するものでありながら、当該判断をより正確に行い得る電力供給装置を提供する。【解決手段】所定装置が接続される接続端子と、外部から制御信号を受け付ける信号受付部と、該制御信号の状態に応じて前記接続端子に電流を流すことにより、該所定装置に電力を供給する電力供給部と、該接続端子に該所定装置が接続されているか否かの判断を行う判断部と、を備えた電力供給装置であって、前記判断部は、前記制御信号の状態に関わらず、前記接続端子に電流を流す第１動作、該電流を流している状態において、前記接続端子の電位を検出する第２動作、および、該検出の結果に基づいて、前記接続端子に前記所定装置が接続されているか否かを判断する第３動作、の各動作を行うことにより、前記判断を実行する電力供給装置とする。【選択図】図４
2010128362.tif 000002
【特許請求の範囲】
【請求項１】
所定装置が接続される接続端子と、
外部から制御信号を受け付ける信号受付部と、
該制御信号の状態に応じて前記接続端子に電流を流すことにより、該所定装置に電力を供給する電力供給部と、
該接続端子に該所定装置が接続されているか否かの判断を行う判断部と、
を備えた電力供給装置であって、
前記判断部は、
前記制御信号の状態に関わらず、前記接続端子に電流を流す第１動作、
該電流を流している状態において、前記接続端子の電位を検出する第２動作、および、
該検出の結果に基づいて、前記接続端子に前記所定装置が接続されているか否かを判断する第３動作、
の各動作を行うことにより、前記判断を実行することを特徴とする電力供給装置。
【請求項２】
前記電力供給部は、
前記判断部によって、前記接続端子に前記所定装置が接続されていないと判断された場合には、前記制御信号の状態に関わらず、該接続端子に電流を流さないようにすることを特徴とする請求項１に記載の電力供給装置。
【請求項３】
前記信号受付部は、それぞれがＯＮ状態またはＯＦＦ状態を示す第１制御信号および第２制御信号を、前記制御信号として受け付けるものであり、
前記電力供給部は、第１制御信号および第２制御信号の双方がＯＮ状態の場合に、前記電力を供給するものであり、
前記判断部は、
第１制御信号がＯＦＦ状態からＯＮ状態に遷移したときに、前記判断を実行することを特徴とする請求項２に記載の電力供給装置。
【請求項４】
請求項１から請求項３の何れかに記載の電力供給装置であって、
前記接続端子は、前記所定装置としてのＬＥＤが接続されるものであり、
前記電力供給部は、該ＬＥＤに電力を供給することを特徴とするＬＥＤドライバ。
【請求項５】
請求項４に記載のＬＥＤドライバを備えたことを特徴とする電子機器。
【発明の詳細な説明】
【技術分野】
【０００１】
本発明は、所定装置に電力を供給する電力供給装置、およびＬＥＤドライバに関する。
【背景技術】
【０００２】
従来、携帯電話機などの電子機器においては、例えばバックライト用として、ＬＥＤ［Light Emitting Diode］が広く用いられている。また、接続されているＬＥＤに電流を流して（ＬＥＤに駆動電力を供給して）、当該ＬＥＤを発光させるＬＥＤドライバ（電力供給装置と見ることもできる）も、広く用いられている。
【０００３】
またＬＥＤドライバとしては、接続されるＬＥＤの数を、任意に設定することが可能なものも存在する。このようなＬＥＤドライバであれば、実装されるＬＥＤの個数が異なる電子機器の各々に対して、共通に適用することが可能となる。
【０００４】
更に、このようなＬＥＤドライバにおいては、省電力等の観点から、接続されていないＬＥＤに対応する電力消費が、極力抑制されるようになっていることが望ましい。ここで、このような電力消費が抑制されるＬＥＤドライバについて、図７に示す電子機器を例に挙げて、以下に説明する。
【０００５】
図７に示すように、当該電子機器は、ＣＰＵ５１、ＬＥＤドライバ５２、および複数のＬＥＤ（５３ａ〜５３ｄ）などを備えている。ＣＰＵ５１は、電子機器において必要な各種処理を行うものであり、ＬＥＤドライバ５２に対しては、ＬＥＤ（５３ａ〜５３ｄ）の発光を制御するためのＥＮ信号を送出する。なおＥＮ信号は、各ＬＥＤを発光させる場合にはＨレベルであり、逆に発光させない場合は、Ｌレベルである。
【０００６】
またＬＥＤドライバ５２は、制御部６１、可変電流源（６２ａ〜６２ｄ）、ＬＥＤ接続端子（６３ａ〜６３ｅ）、電圧供給部６４、および電位検出部６５などを備えている。制御部６１は、ＣＰＵ５１から伝送されたＥＮ信号に基づいて、可変電流源（６２ａ〜６２ｃ）のＯＮ／ＯＦＦ（所定電流を流すか否か）を制御するためのＥＮＡ信号、および、可変電流源６２ｄのＯＮ／ＯＦＦを制御するためのＥＮＢ信号を出力する。
【０００７】
また可変電流源（６２ａ〜６２ｃ）の各々は、ＥＮＡ信号がＨレベルのときに、ＬＥＤ接続端子（６３ａ〜６３ｃ）の各々から所定電流を引き込む一方、ＥＮＡ信号がＬレベルのときは、電流を引き込まない。また可変電流源６２ｄは、ＥＮＢ信号がＨレベルのときに、ＬＥＤ接続端子６３ｄから所定電流を引き込む一方、ＥＮＢ信号がＬレベルのときは、電流を引き込まない。
【０００８】
またＬＥＤ接続端子６３ｅと、ＬＥＤ接続端子（６３ａ〜６３ｄ）との間の各々には、ＬＥＤ（５３ａ〜５３ｄ）の各々が接続されるようになっている。ただし、ＬＥＤ接続端子６３ｅとＬＥＤ接続端子６３ｄとの間については、ＬＥＤ５３ｄの接続を省略することが可能となっている。この場合、ＬＥＤ接続端子６３ｅとＬＥＤ接続端子６３ｄの間は短絡される。
【０００９】
また電圧供給部６４は、例えば電池電圧を用いて、ＬＥＤ接続端子６３ｅに所定の電圧Ｖ+を供給する。また電位検出部６５は、ＬＥＤ接続端子６３ｄの電位を検出し、その結果を表す電位信号を制御部６１に伝送する。
【００１０】
ここで制御部６１の動作を、より具体的に説明する。ＥＮ信号がＬレベルである間、制御部６１は、ＥＮＡ信号およびＥＮＢ信号をＬレベルに維持させ、ＥＮ信号の状態を監視する。そしてＥＮ信号がＨレベルとなったことを検出した場合、ＥＮＡ信号とＥＮＢ信号をＨレベルとし、各ＬＥＤ接続端子（６３ａ〜６３ｄ）に電流が流れるようにすることで、各ＬＥＤを発光させる。
【００１１】
また制御部６１は、各ＬＥＤ接続端子（６３ａ〜６３ｄ）に電流が流れるようにした後、電位検出部６５から伝送される電位信号の状態に基づいて、ＬＥＤ接続端子６３ｄにＬＥＤ５３ｄが接続されているか否かを判断する。なおＬＥＤ５３ｄが接続されている場合には、ＬＥＤ５３ｄによる電圧降下（Ｖｆ）が発生するため、電位信号は、概ねＶ+−Ｖｆを示す一方、ＬＥＤ５３ｄが接続されていない場合には、電位信号は、概ねＶ+を示すこととなる。
【００１２】
このように、ＬＥＤ５３ｄが接続されている場合と接続されていない場合とでは、電位信号の状態は異なることになる。そのため、当該電位信号の状態を判断することにより、制御部６１は、ＬＥＤ５３ｄが接続されているか否かを判断することが可能である。
【００１３】
そして制御部６１は、ＬＥＤ５３ｄが接続されていると判断した場合は、引き続きＥＮＢ信号をＨレベルに維持する一方、ＬＥＤ５３ｄが接続されていないと判断した場合は、ＥＮＢ信号をＬレベルに切り替える。これにより、ＬＥＤ５３ｄが接続されていない場合には、ＬＥＤ接続端子６３ｄに（存在しないＬＥＤに対して）電流を流すことによる、無駄な電力消費を抑えることが可能となっている。
【特許文献１】特開２００７−１２７９１２号公報
【発明の開示】
【発明が解決しようとする課題】
【００１４】
ここで先述したＬＥＤドライバ５２に関して、例えばＣＰＵ５１からＰＷＭ［Pulse Width Modulation］信号を受け取り、ＰＷＭ制御によりＬＥＤを発光させる機能をも付加させたものについて考える。このようなＬＥＤドライバの構成例を、図８に示す。本図に示すようにＬＥＤドライバ５２は、ＣＰＵ５１からＰＷＭ信号を受取る端子をも有しており、ＰＷＭ信号は制御部６１によって受付けられる。そして制御部６１は、ＥＮ信号とＰＷＭ信号の論理積を、ＥＮＡ信号およびＥＮＢ信号として出力する。
【００１５】
ここで、ＥＮ信号、ＰＷＭ信号、ＥＮＢ信号、ＬＥＤ５３ｄの接続時における電位信号、および、ＬＥＤ５３ｄの非接続時における電子信号に関するタイミングチャートの例を、図９に示す。本図に示すようにＥＮＢ信号の状態は、ＥＮ信号がＨレベルである期間においても、ＰＷＭ信号の影響により、ＨレベルとＬレベルを繰り返す。
【００１６】
そして、例えばＥＮ信号がＨレベルに遷移した後の時刻Ｔｂにおいて、制御部６１が、電位信号の状態に基づいてＬＥＤ５３ｄが接続されているか否かを判断する状況を想定する。この場合、ＬＥＤ５３ｄが接続されている状態であっても、Ｔｂの時点において、電位信号が、「Ｖ+−Ｖｆ」と「Ｖ+」の何れを示すかは、ＰＷＭ信号の状態によって変動する。
【００１７】
そのため、ＬＥＤ５３ｄが接続されているにも関わらず、誤って、ＬＥＤ５３ｄが接続されていないと判断されるおそれがある。このような誤った判断は、以降のＬＥＤ５３ｄの点灯処理が妨げられる等といった不具合の原因となる。
【００１８】
本発明は上述した問題点に鑑み、接続端子に電流を流すことによって、ＬＥＤ等の装置が接続されているかを判断するものでありながら、当該判断をより正確に行うことが可能となる電力供給装置の提供を目的とする。
【課題を解決するための手段】
【００１９】
上記目的を達成するため、本発明に係る電力供給装置は、所定装置が接続される接続端子と、外部から制御信号を受け付ける信号受付部と、該制御信号の状態に応じて前記接続端子に電流を流すことにより、該所定装置に電力を供給する電力供給部と、該接続端子に該所定装置が接続されているか否かの判断を行う判断部と、を備えた電力供給装置であって、前記判断部は、前記制御信号の状態に関わらず、前記接続端子に電流を流す第１動作、該電流を流している状態において、前記接続端子の電位を検出する第２動作、および、該検出の結果に基づいて、前記接続端子に前記所定装置が接続されているか否かを判断する第３動作、の各動作を行うことにより、前記判断を実行する構成とする。
【００２０】
本構成によれば、接続端子に電流を流すことによって、例えばＬＥＤ等の装置が接続されているかを判断することが可能である。また当該判断を行う時点では、制御信号の状態に関わらず、接続端子に電流が流れている状態となる。そのため、制御信号によって判断処理が阻害されることを防ぎ、当該判断をより正確に行うことが可能となる。
【００２１】
また上記構成において、前記電力供給部は、前記判断部によって、前記接続端子に前記所定装置が接続されていないと判断された場合には、前記制御信号の状態に関わらず、該接続端子に電流を流さないようにする構成としてもよい。
【００２２】
本構成によれば、接続されていない所定装置に対応した電流を流すことによる、無駄な電力消費を抑えることが可能となる。
【００２３】
また上記構成において、前記信号受付部は、それぞれがＯＮ状態またはＯＦＦ状態を示す第１制御信号および第２制御信号を、前記制御信号として受け付けるものであり、前記電力供給部は、第１制御信号および第２制御信号の双方がＯＮ状態の場合に、前記電力を供給するものであり、前記判断部は、第１制御信号がＯＦＦ状態からＯＮ状態に遷移したときに、前記判断を実行する構成としてもよい。
【００２４】
本構成によれば、例えば、電力供給自体のＯＮ／ＯＦＦを制御するための信号（ＥＮ信号）と、ＰＷＭ制御により電力供給の度合を制御するための信号（ＰＷＭ信号）によって、当該電力供給装置を制御することが可能となる。
【００２５】
また上記構成に係る電力供給装置であって、前記接続端子は、前記所定装置としてのＬＥＤが接続されるものであり、前記電力供給部は、該ＬＥＤに電力を供給するＬＥＤドライバであれば、上記構成の利点を享受しうるＬＥＤドライバとすることができる。また当該ＬＥＤドライバを備えた電子機器であれば、上記構成の利点を享受することができる。
【発明の効果】
【００２６】
上述した通り、本発明に係る電力供給装置は、接続端子に電流を流すことによって、例えばＬＥＤ等の装置が接続されているかを判断することが可能である。また当該判断を行う時点では、制御信号の状態に関わらず、接続端子に電流が流れている状態となる。そのため、制御信号によって判断処理が阻害されることを防ぎ、当該判断をより正確に行うことが可能となる。
【発明を実施するための最良の形態】
【００２７】
本発明の実施形態について、図１に示す構成の電子機器を例に挙げて、以下に説明する。本図に示すように、当該電子機器（例えば携帯電話機）９は、ＣＰＵ１、ＬＥＤドライバ２、およびＬＥＤ（３ａ〜３ｄ）などを備えている。
【００２８】
ＣＰＵ１は、電子機器９の各部を制御することにより、各種の処理を実行する。特にＬＥＤ（３ａ〜３ｄ）を発光させるための処理として、ＥＮ信号およびＰＷＭ信号を、ＬＥＤドライバ２に送出する。
【００２９】
なおＥＮ信号は、各ＬＥＤ（３ａ〜３ｄ）の発光自体のＯＮ／ＯＦＦを制御するためのものであり、発光させる場合にはＨレベル（ＯＮ状態）をとり、発光させない場合にはＬレベル（ＯＦＦ状態）をとる。またＰＷＭ信号は、各ＬＥＤ（３ａ〜３ｄ）の発光輝度を制御するためのものであり、Ｈレベル（ＯＮ状態）とＬレベル（ＯＦＦ状態）が、ＥＮ信号に比べて非常に短い周期で切り替わる。これにより各ＬＥＤ（３ａ〜３ｄ）を、見かけ上、ＰＷＭ信号のデューティ比に応じた輝度で発光させることが可能である。
【００３０】
またＬＥＤドライバ２は、制御部２１、可変電流源（２２ａ〜２２ｄ）、電位検出部２３、電圧供給部２４、端子ＥＮ、端子ＰＷＭＩＮ、およびＬＥＤ接続用の端子（ＶＯＵＴ、ＬＥＤ１〜ＬＥＤ４）などを備えている。
【００３１】
制御部２１は、端子ＥＮを介してＣＰＵ１側から伝送されるＥＮ信号、および端子ＰＷＭＩＮを介してＣＰＵ１側から伝送されるＰＷＭ信号を受け付ける。またこれらの信号に基づいて、可変電流源（２２ａ〜２２ｃ）を制御するためのＥＮＡ信号、および可変電流源２２ｄを制御するためのＥＮＢ信号を生成して出力する。
【００３２】
また可変電流源（２２ａ〜２２ｃ）の各々は、ＥＮＡ信号がＨレベルのときにＯＮ状態となって、ＬＥＤ接続端子（ＬＥＤ１〜ＬＥＤ３）の各々から所定の電流Ｉａを引き込む一方、ＥＮＡ信号がＬレベルのときはＯＦＦ状態となって、電流を引き込まない。また可変電流源２２ｄは、ＥＮＢ信号がＨレベルのときにＯＮ状態となって、ＬＥＤ接続端子ＬＥＤ４から電流Ｉａを引き込む一方、ＥＮＢ信号がＬレベルのときはＯＦＦ状態となって、電流を引き込まない。このように電流を引き込む（流す）ことにより、各ＬＥＤ（３ａ〜３ｄ）に電力を供給することが可能となっている。
【００３３】
また電圧供給部２４は、例えば電池電圧を用いて、端子ＶＯＵＴに所定電圧Ｖ+を供給する。また端子ＶＯＵＴと、端子（ＬＥＤ１〜ＬＥＤ４）との間の各々には、ＬＥＤ（３ａ〜３ｄ）の各々が接続されるようになっている。ただし、端子ＶＯＵＴと端子ＬＥＤ４との間については、ＬＥＤ３ｄの接続を省略することが可能となっている。この場合、端子ＶＯＵＴと端子ＬＥＤ４の間は、短絡される。
【００３４】
また電位検出部２３は、端子ＬＥＤ４の電位を検出し、この検出の結果を表す電位信号を、制御部２１に継続的に伝送する。
【００３５】
ここで制御部２１の構成概略を、図２に示す。本図に示すように、ＥＮＡ信号は、ＥＮ信号とＰＷＭ信号の論理積となっており、ＥＮ信号とＰＷＭ信号が双方ともＨレベルのときにＨレベルとなり、それ以外のときは、Ｌレベルとなる。これにより、ＬＥＤ（３ａ〜３ｃ）は、ＥＮ信号とＰＷＭ信号の双方がＨレベルのときに電流Ｉａが流れ、発光することとなる。
【００３６】
一方ＥＮＢ信号は、制御部２１に設けられた信号出力調整部２５から出力されるようになっている。また信号出力調整部２５は、ＥＮ信号、電位信号、およびＥＮ信号とＰＷＭ信号との論理積の各々を受取るようになっている。そして通常は、ＥＮ信号とＰＷＭ信号の論理積をＥＮＢ信号として出力するが、所定の条件下（後述するステップＳ１２またはＳ１５の動作がなされるとき）では、ＥＮＢ信号をＨレベルまたはＬレベルに固定する。なお信号出力調整部２５における動作の内容については、改めて説明する。
【００３７】
またＬＥＤ（３ａ〜３ｄ）は、例えば電子機器９におけるディスプレイのバックライトとして利用されるものであり、電流量に応じた輝度で発光する。以上のように電子機器９においては、ホスト（マスター）としてのＣＰＵ１が、ＥＮ信号とＰＷＭ信号を出力することによって、スレーブとしてのＬＥＤドライバ２を制御するようになっている。またＬＥＤドライバ２は、３灯／４灯のパラレルＬＥＤドライバとなっており、３個のＬＥＤを駆動させる状況と４個のＬＥＤを駆動させる状況の、双方に対応することが可能となっている。
【００３８】
ここで、ＬＥＤドライバ２の主要部を形成している部品（ＩＣチップ）の具体的な構成例を、図３に示す。本図に示すように当該ＩＣチップ５は、チャージポンプ３１、ＯＳＣ３２、電圧制御回路３３、チャージポンプモード制御回路３４、ＬＥＤ４検出回路３５、イネーブル／ブライトネス制御回路３６、電流制御回路３７、および各種端子などを備えている。
【００３９】
ＩＣチップ５の動作について、簡潔に説明する。チャージポンプ３１は、端子ＶＢＡＴを介して電池等から入力された電源電圧を、チャージポンプモード制御回路３４によって設定された昇圧倍率で増幅させ、端子ＶＯＵＴに出力する。なお端子Ｃ１Ｎと端子Ｃ１Ｐの間、および端子Ｃ２Ｎと端子Ｃ２Ｐの間には、それぞれフライングコンデンサが設けられるようになっている。また端子ＶＯＵＴと端子ＬＥＤ１〜端子ＬＥＤ４との間には、それぞれＬＥＤが設けられるようになっている。またＯＳＣ３２は、チャージポンプ３１等に所定のクロック信号を与える。
【００４０】
またイネーブル／ブライトネス制御回路３６は、端子ＥＮを介してＣＰＵ等から制御信号を受取り、この制御信号に基づいて、ＬＥＤに流れる電流を制御するために必要な調整データを生成する。また電流制御回路３７は、イネーブル／ブライトネス制御回路３６から受取った調整データに基づいて、端子ＬＥＤ１〜端子ＬＥＤ４の各々に接続されているＬＥＤに電流を流す。なお端子ＩＳＥＴは、ＬＥＤに流れる基準電流（最大電流）の設定のため、例えば抵抗を介して接地される。また端子ＧＮＤは、接地電位の確保のために接地される。
【００４１】
またイネーブル／ブライトネス制御回路３６には、外部からＰＷＭ信号を受取るための端子ＰＷＭＩＮも設けられており、必要に応じてＰＷＭ制御に対応することも可能となっている。またＬＥＤ４検出回路３５は、端子ＬＥＤ４にＬＥＤが接続されているか否かを検出し、接続されていない場合は、端子ＬＥＤ４に電流を流さないように、イネーブル／ブライトネス制御回路３６に指示を出す。
【００４２】
また電圧制御回路３３は、端子ＬＥＤ１〜端子ＬＥＤ４の各端子電圧を検出し、最も電圧降下（Ｖｆ）の高いＬＥＤのカソード電圧を所定値とするように、チャージポンプモード制御回路３４に指示を出す。
【００４３】
なお、図１に示したＬＥＤドライバ２と当該ＩＣチップ５との対応関係については、概ね、制御部２１がイネーブル／ブライトネス制御回路３６等に対応し、可変電流源（２２ａ〜２２ｄ）は電流制御回路３７に対応し、電位検出部２３はＬＥＤ４検出部３５に対応している。
【００４４】
次に、信号出力調整部２５が行う動作の内容について、図４に示すフローチャートを参照しながら説明する。
【００４５】
先述したとおり信号出力調整部２５は、通常時、ＥＮ信号とＰＷＭ信号との論理積を、ＥＮＢ信号として出力する。またＥＮ信号がＬレベルとなっている間、ＥＮ信号がＬレベルからＨレベルに遷移するか否かを継続的に監視する（ステップＳ１１）。
【００４６】
そしてＨレベルに遷移した場合には（ステップＳ１１のＹ）、信号出力調整部２５は、ＥＮＢ信号をＨレベルに固定し（強制的にＨレベルとし）、可変電流源２２ｄをＯＮ状態にする。これによりＰＷＭ信号の状態に関わらず、可変電流源２２ｄはＯＮ状態となる。
【００４７】
またこのように可変電流源２２ｄをＯＮ状態としたままで、信号出力調整部２５は、電位検出部２３から出力されている電位信号の状態を検出する（ステップＳ１２）。そして更に信号出力調整部２５は、検出された電位信号の状態に基づいて、端子ＬＥＤ４にＬＥＤ３ｄが接続されているか否かを判断する（ステップＳ１３）。
【００４８】
より具体的には、電位信号の示す電位がＶ+−Ｖｆ（Ｖｆは、ＬＥＤ３ｄによる電圧降下に相当する）であれば、ＬＥＤ３ｄが接続されていると判断し、当該電位がＶ+であれば、ＬＥＤ３ｄが接続されていないと判断する。なおこの他、例えば、電位信号の示す電位が概ねＶ+であれば、ＬＥＤ３ｄが接続されていないと判断し、当該電位がＶ+よりも一定以上小さければ、ＬＥＤ３ｄが接続されていると判断するようにしても構わない。
【００４９】
そしてこの結果、ＬＥＤ３ｄが接続されていないと判断された場合には（ステップＳ１４のＮ）、信号出力調整部２５は、以降のＥＮＢ信号をＬレベルに固定する（ステップＳ１５）。これにより以降は（固定が解除されるまでは）、ＥＮ信号やＰＷＭ信号の状態に関わらず、可変電流源２２ｄはＯＦＦ状態となる。
【００５０】
一方、ＬＥＤ３ｄが接続されていると判断された場合には（ステップＳ１４のＹ）、ステップＳ１２の処理でなされている、ＥＮＢ信号のＨレベルへの固定を解除する（ステップＳ１６）。これにより以降のＥＮＢ信号は、通常通り、ＥＮ信号とＰＷＭ信号との論理積となる。
【００５１】
ステップＳ１５またはＳ１６の処理の後、信号出力調整部２５は、ＥＮ信号がＨレベルからＬレベルに遷移したか否かを継続的に監視する（ステップＳ１７）。その結果、Ｌレベルに遷移したことを検出したときは（ステップＳ１７のＹ）、ＥＮＢ信号のＬレベルへの固定がなされている場合（つまり、ステップＳ１５の処理がなされている場合）には、当該固定を解除させて（ステップＳ１８）、ステップＳ１１の動作に戻る。
【００５２】
次に、上述した一連の処理の具体例について、ＬＥＤ３ｄが端子ＬＥＤ４に接続されている場合と、接続されていない場合に分けて、タイミングチャートを参照しながら以下に説明する。先ず、ＬＥＤ３ｄが端子ＬＥＤ４に接続されている場合について、図５を参照しながら説明する。
【００５３】
図５では、上から、ＥＮ信号、ＰＷＭ信号、ＥＮＢ信号、電位信号、および端子ＬＥＤ４を流れる電流量についてのタイミングチャートの一例が示されている。本図に示すように、ＥＮ信号は、時刻Ｔ０においてＬレベルからＨレベルに遷移し、ＰＷＭ信号は、継続的にＨレベルとＬレベルが切り替わるものとする。
【００５４】
この場合、信号出力調整部２５は、時刻Ｔ０においてＥＮ信号がＬレベルからＨレベルに遷移したことを検出する（ステップＳ１１のＹ）。そしてその後の、例えば時刻Ｔ１において、ＥＮＢ信号をＨレベルに固定して可変電流源２２ｄをＯＮ状態にするとともに、この状態において（例えば時刻Ｔ２において）、電位信号の状態を検出する（ステップＳ１２）。
【００５５】
このとき、図５に示す通り、ＥＮＢ信号はＨレベルに固定されているから、ＰＷＭ信号の状態に関わらず、端子ＬＥＤ４に電流Ｉａが流れることになる。そのため電位信号は、ＰＷＭ信号の状態に関わらず、「Ｖ+−Ｖｆ」を示すことになる。
【００５６】
そのため当該検出の結果に基づいて、ＬＥＤ３ｄは接続されていると判断されるから（ステップＳ１４のＹ）、その後（例えば時刻Ｔ３以降）は、ＥＮＢ信号のＨレベルへの固定は解除され（ステップＳ１６）、ＥＮＢ信号はＥＮ信号とＰＷＭ信号との論理積となる。これにより時刻Ｔ３以降は、ＬＥＤ３ｄには、ＰＷＭ信号に応じた電流が流れる（ＰＷＭ制御によって電力が供給される）こととなる。
【００５７】
次に、ＬＥＤ３ｄが端子ＬＥＤ４に接続されていない場合について、図６を参照しながら説明する。
【００５８】
図６においても、上から、ＥＮ信号、ＰＷＭ信号、ＥＮＢ信号、電位信号、および端子ＬＥＤ４を流れる電流量についてのタイミングチャートの一例が示されている。また本図に示すように、ＥＮ信号は、時刻Ｔ０においてＬレベルからＨレベルに遷移し、ＰＷＭ信号は、継続的にＨレベルとＬレベルが切り替わるものとする。
【００５９】
この場合、信号出力調整部２５は、時刻Ｔ０においてＥＮ信号がＬレベルからＨレベルに遷移したことを検出する（ステップＳ１１のＹ）。そしてその後の、例えば時刻Ｔ１において、ＥＮＢ信号をＨレベルに固定して可変電流源２２ｄをＯＮ状態にするとともに、この状態において（例えば時刻Ｔ２において）、電位信号の状態を検出する（ステップＳ１２）。
【００６０】
このとき、図６に示す通り、ＥＮＢ信号はＨレベルに固定されているから、ＰＷＭ信号の状態に関わらず、端子ＬＥＤ４に電流Ｉａが流れることになる。また電流Ｉａが流れていても、ＬＥＤ３ｄによる電圧降下は発生しないため、電位信号は「Ｖ+」を示すことになる。
【００６１】
そのため当該検出の結果に基づいて、ＬＥＤ３ｄは接続されていないと判断されるから（ステップＳ１４のＮ）、その後（例えば時刻Ｔ３以降）は、ＥＮＢ信号はＬレベルに固定される（ステップＳ１５）。これにより時刻Ｔ３以降は、ＰＷＭ信号の状態に関わらず、端子ＬＥＤ４には電流が流れないようになる。
【００６２】
これにより、存在しないＬＥＤに対応した電流を流すことによる、無駄な電力消費を抑えることが可能となっている。なお、その後にＥＮ信号がＬレベルに遷移した場合は（ステップＳ１７のＹ）、ＥＮＢ信号のＬレベルへの固定は解除されて（ステップＳ１８）、ステップＳ１１の処理が繰り返されることになる。
【００６３】
以上までに説明した通り、本実施形態に係るＬＥＤドライバ２は、ＬＥＤ３ｄ（装置の一種）が接続される端子ＬＥＤ４と、外部からＥＮ信号（第１制御信号）とＰＷＭ信号（第２制御信号）を受け付ける機能と、ＥＮ信号とＰＷＭ信号の状態に応じて端子ＬＥＤ４に電流を流すことにより、ＬＥＤ３ｄに電力を供給する機能と、端子ＬＥＤ４にＬＥＤ３ｄが接続されているか否かの判断を行う機能と、を備えている。
【００６４】
そして更に当該判断は、ＰＷＭ信号の状態に関わらず、強制的に、端子ＬＥＤ４に電流を流す動作（ステップＳ１２を参照）、当該電流を流している状態において、端子ＬＥＤ４の電位を検出する動作（ステップＳ１２を参照）、および当該検出の結果に基づいて、端子ＬＥＤ４にＬＥＤ３ｄが接続されているか否かを判断する動作（ステップＳ１３を参照）、の各動作が行われることにより実現される。
【００６５】
これにより、当該判断を行う時点では、ＰＷＭ信号の状態に関わらず、端子ＬＥＤ４に電流が流れている状態となる。そのため、ＰＷＭ信号によって判断処理が阻害される事態（図９のタイミングチャートを参照）を防ぎ、当該判断をより正確に行うことが可能となっている。また、例えば複雑な外部制御の追加（レジスタ入力の追加や立上げシーケンスの制限増加など）がなされる場合に比べ、簡易な構成によって、回路電流を自動的に最適化することが可能となっている。
【００６６】
以上、本発明の実施形態について説明したが、本発明はこの内容に限定されるものではない。また本発明は、その主旨を逸脱しない範囲において、種々の改変を加えて実施されうる。
【産業上の利用可能性】
【００６７】
本発明は、ＬＥＤドライバ等の分野において利用可能である。
【図面の簡単な説明】
【００６８】
【図１】本発明の実施形態に係る電子機器の構成図である。
【図２】本発明の実施形態に係る制御部の構成図である。
【図３】本発明の実施形態に係るＩＣチップの構成図である。
【図４】信号出力調整部における動作のフローチャートである。
【図５】本発明の実施形態に係る各種信号等のタイミングチャートである。
【図６】本発明の実施形態に係る各種信号等のタイミングチャートである。
【図７】従来のＬＥＤドライバを備えた電子機器に関する構成図である。
【図８】ＬＥＤドライバを備えた電子機器に関する構成図である。
【図９】ＬＥＤドライバに係る各種信号等のタイミングチャートである。
【符号の説明】
【００６９】
１    ＣＰＵ
２    ＬＥＤドライバ（電力供給装置）
３ａ〜３ｄ    ＬＥＤ（所定装置）
５    ＩＣチップ
９    電子機器
２１    制御部
２２ａ〜２２ｄ    可変電流源
２３    電位検出部
２４    電圧供給部
２５    信号出力調整部
３１    チャージポンプ
３２    ＯＳＣ
３３    電圧制御回路
３４    チャージポンプモード制御回路
３５    ＬＥＤ４検出回路
３６    イネーブル／ブライトネス制御回路
３７    電流制御回路
【図１】
2010128362.tif 000003
【図２】
2010128362.tif 000004
【図３】
2010128362.tif 000005
【図４】
2010128362.tif 000006
【図５】
2010128362.tif 000007
【図６】
2010128362.tif 000008
【図７】
2010128362.tif 000009
【図８】
2010128362.tif 000010
【図９】
2010128362.tif 000011